【手続補正書】
【提出日】平成17年12月20日(2005.12.20)
【手続補正１】
【補正対象書類名】特許請求の範囲
【補正対象項目名】全文
【補正方法】変更
【補正の内容】
【特許請求の範囲】
【請求項１】
乳房から母乳を搾り出すための搾乳ポンプ装置であって、
正および負の圧力を発生させるための圧力源と、
モータと、
第１の歯を有し、前記圧力源に作動可能に連結されているラックと、
第２の歯を有し、前記モータに作動可能に連結され、ラックの前記第１の歯が、前記圧力源を作動させるようにこの第２の歯と係合されるギアと、
前記圧力源と流体連通している搾乳カップとを具備しており、この搾乳カップは、正および負の圧力を前記乳房に加える、搾乳ポンプ装置。
【請求項２】
導管を更に具備し、前記搾乳カップは、空気オリフィスを有し、この導管は、この空気オリフィスおよび前記圧力源に連結され、前記圧力源は、搾乳カップと圧力源との間に導管を通して往復する空気の流れを与えて、前記正および負の圧力を搾乳カップに発生させる、請求項１に記載の装置。
【請求項３】
前記導管は、可撓性管である、請求項２に記載の装置。
【請求項４】
前記圧力源は、シリンダ内で移動可能に配置されたピストンである、請求項２に記載の装置。
【請求項５】
前記モータは、逆転可能であり、前記搾乳カップは、母乳を搾り出すための内部を規定した可撓性挿入体を有し、この可撓性挿入体の内部は、前記正および負の圧力から隔離されている、請求項１に記載の装置。
【請求項６】
前記ピストンは、これと前記シリンダとの間に配置されたシール部材を有している、請求項４に記載の装置。
【請求項７】
前記シール部材は、前記ピストンの周りに配置されたＯリングである、請求項６に記載の装置。
【請求項８】
前記ピストンは、周壁部を有するほぼ円筒形の形状を有しており、前記シール部材は、前記周壁部に配置された複数のガスケットである、請求項６に記載の装置。
【請求項９】
前記ピストンは、周チャンネルが形成された周壁部を有するほぼ円筒形の形状を有しており、前記シール部材は、前記周チャンネルに少なくとも部分的に配置されている、請求項６に記載の装置。
【請求項１０】
前記ピストンは、先縁部および後縁部を有するＶ字形の横断面を有しており、前記先縁部および前記後縁部は、前記シリンダと密封係合をなしている、請求項４に記載の装置。
【請求項１１】
前記ピストンは、前記ラックに可撓性に取着されている、請求項４に記載の装置。
【請求項１２】
前記ピストンは、凹部を有しており、前記ラックは、当接部が形成された第１の端部を有しており、この当接部は前記凹部に可撓性に取着されている、請求項１１に記載の装置。
【請求項１３】
前記凹部および前記第１の端部は、戻り止め構造体を有している、請求項１２に記載の装置。
【請求項１４】
前記シリンダは、第１の直径および空気穴を有しており、前記空気穴は、第２の直径を有していて、大気と流体連通しており、前記第１の直径は、前記第２の直径よりかなり大きい、請求項４に記載の装置。
【請求項１５】
前記モータに作動可能に連結された制御装置を更に具備しており、前記モータは、逆転可能であり、前記制御装置は、前記モータを正または負の圧力限度に基づいて逆転させる、請求項１に記載の装置。
【請求項１６】
前記モータに作動可能に連結された制御装置を更に具備しており、前記モータは、逆転可能なモータであり、前記制御装置は、前記ピストンが前記シリンダに対して移動した距離を定め、前記制御装置は、前記モータを前記距離に基づいて逆転させる、請求項４に記載の装置。
【請求項１７】
前記距離に応じて信号を発生させる光センサを更に具備しており、前記信号は、前記制御装置に伝送され、前記制御装置は、前記モータを前記信号に応じて逆転させる、請求項１６に記載の装置。
【請求項１８】
前記ラックには、複数の開口部が形成されており、前記光センサは、前記開口部と作動可能に整合されており、前記信号は、前記光センサを通り越して移動する前記開口部の総数に基づいて発生される、請求項１７に記載の装置。
【請求項１９】
位置スイッチを更に具備しており、前記光センサは、位置信号を発生させるために前記位置スイッチと作動可能に整合されており、前記位置信号は、前記制御装置に伝送され、前記制御装置は、前記位置信号に応じて前記総数をリセットする、請求項１８に記載の装置。
【請求項２０】
前記モータに作動可能に連結された制御装置を更に具備しており、前記モータは、可変速度を有しており、前記制御装置は、前記正または負の圧力を前記乳房に加えるために所望のサイクル時間に基づいて前記速度を調整する、請求項１に記載の装置。
【請求項２１】
前記制御装置は、使用者インターフェースを有しており、前記所望のサイクル時間は、前記使用者インターフェースに入力され、前記所望のサイクル時間は、前記使用者インターフェースから前記制御装置に伝送される、請求項２０に記載の装置。
【請求項２２】
使用者インターフェースを有し、前記圧力源に作動可能に連結された制御装置を更に具備しており、前記制御装置は、前記使用者インターフェースから伝送された信号に応じて圧力源により発生された正または負の圧力を調整する、請求項１に記載の装置。
【請求項２３】
使用者インターフェースを有し、前記圧力源に作動可能に連結された制御装置を更に具備しており、前記制御装置は、前記使用者インターフェースからこの制御装置に伝送された信号に応じて前記正または負の圧力を前記乳房に加えるためのサイクル時間を調整する、請求項１に記載の装置。
【請求項２４】
圧力の量および前記正の圧力と負の圧力との間のサイクル時間に応じて波信号を発生させ、前記波信号に応じて前記モータを制御する制御装置を更に具備している、請求項１に記載の装置。
【請求項２５】
使用者インターフェースを更に具備しており、所望の波信号が前記使用者インターフェースに入力され、前記所望の波信号は、前記使用者インターフェースから前記制御装置に伝送され、前記制御装置は、前記波信号を前記所望の波信号に対応するように調整する、請求項２４に記載の装置。
【請求項２６】
前記シリンダは、圧力除去弁と流体連通している、請求項４に記載の装置。
【請求項２７】
前記圧力除去弁は、調整可能である、請求項２６に記載の装置。
【請求項２８】
前記圧力源は、収容室が形成されたハウジングを有しており、前記可撓性管は、前記収容室に取出し可能に収容されている、請求項３に記載の装置。
【請求項２９】
前記ハウジングは、第１の端部および第２の端部を持つ空気出口を有しており、前記第１の端部は、前記圧力源と流体連通しており、前記第２の端部は、前記収容室に配置されている、請求項２８に記載の装置。
【請求項３０】
入口、第１の出口、第２の出口およびプラグを有するｔ−コネクタを更に具備しており、前記入口は、前記第１および第２の出口と流体連通しており、前記プラグは、前記第１の出口または前記第２の出口と選択的に密封係合可能であり、ｔ−コネクタの前記入口は、圧力源と流体連通するように配置可能である、請求項１に記載の装置。
【請求項３１】
前記ｔ−コネクタは、外面を有しており、前記プラグは、この外面につながれている、請求項３０に記載の装置。
【請求項３２】
乳房から母乳を搾り出すための搾乳ポンプ装置であって、
シリンダ容積部を有するシリンダと、
前記シリンダ内に移動可能に配置されたピストンと、
前記シリンダ容積部に正および負の圧力を発生させるために前記ピストンに作動可能に連結されていて、逆転可能であるモータと、
このモータに作動可能に連結されている制御装置と、
前記ピストンがシリンダに対して移動した距離に応じて、この距離に基づいてモータを逆転させる前記制御装置に伝送される信号を発生させる光センサと、
前記シリンダ容積部と流体連通していて、前記正および負の圧力を前記乳房に加える搾乳カップとを具備している搾乳ポンプ装置。
【請求項３３】
導管を更に具備しており、前記搾乳カップは、剛性の外側部と、この中に受けられる可撓性の内側部とを有し、剛性の外側部と可撓性の内側部は、これらの間に密封された膨張可能な容積部を形成し、これら剛性の外側部と可撓性の内側部とは、乳房を受けるための漏斗形状のフードを形成するように連結され、剛性の外側部は、前記膨張可能な容積部と流体連通した空気オリフィスを有しており、そして、前記導管が、空気オリフィスおよび前記シリンダ容積部に連結され、シリンダ容積部は、前記導管を通して往復する空気の流れを与えて、前記正および負の圧力を前記膨張可能な容積部に与える、請求項３２に記載の装置。
【請求項３４】
前記導管は、可撓性管である、請求項３３に記載の装置。
【請求項３５】
第１の歯を有するラックと、第２の歯を有するギアとを更に具備し、前記ラックは、前記ピストンに連結され、前記ギアは、前記モータに作動可能に連結され、前記第１の歯は、ピストンをシリンダ内で往復移動させるために第２の歯と係合し、前記モータは、逆転可能である、請求項３２に記載の装置。
【請求項３６】
前記ピストンは、これとシリンダとの間に配置されたシール部材を有している、請求項３２に記載の装置。
【請求項３７】
前記シール部材は、前記ピストンの周りに配置されたＯリングである、請求項３６に記載の装置。
【請求項３８】
前記ピストンは、周壁部を有するほぼ円筒形の形状を有しており、前記シール部材は、前記周壁部に配置された複数のガスケットである、請求項３６に記載の装置。
【請求項３９】
前記ピストンは、周チャンネルが形成された周壁部を有するほぼ円筒形の形状を有しており、前記シール部材は、前記周チャンネルに少なくとも部分的に配置されている、請求項３６に記載の装置。
【請求項４０】
前記ピストンは、先縁部および後縁部を有するＶ字形の横断面を有しており、前記先縁部および前記後縁部は、前記シリンダと密封係合をなしている、請求項３２に記載の装置。
【請求項４１】
前記ピストンは、前記ラックに可撓性に取着されている、請求項３５に記載の装置。
【請求項４２】
前記ピストンは、凹部を有しており、前記ラックは、当接部が形成された第１の端部を有しており、この当接部は前記凹部に可撓性に取着されている、請求項４１に記載の装置。
【請求項４３】
前記凹部および前記第１の端部は、戻り止め構造体を有している、請求項４２に記載の装置。
【請求項４４】
前記シリンダは、第１の直径および空気穴を有しており、前記空気穴は、第２の直径を有していて、大気と流体連通しており、前記第１の直径は、前記第２の直径よりかなり大きい、請求項３２に記載の装置。
【請求項４５】
前記モータに作動可能に連結された制御装置を更に具備しており、前記モータは、逆転可能であり、前記制御装置は、前記モータを圧力限度に基づいて逆転させる、請求項３２に記載の装置。
【請求項４６】
前記ラックには、複数の開口部が形成されており、前記光センサは、前記開口部と作動可能に整合されており、前記信号は、前記光センサを通り越して移動する前記開口部の総数に基づいて発生される、請求項３５に記載の装置。
【請求項４７】
位置スイッチを更に具備しており、前記光センサは、位置信号を発生させるために前記位置スイッチと作動可能に整合されており、前記位置信号は、前記制御装置に伝送され、前記制御装置は、前記位置信号に応じて前記総数をリセットする、請求項４６に記載の装置。
【請求項４８】
前記モータは、速度が可変であり、前記制御装置は、前記圧力を前記乳房に加えるための所望のサイクル時間に基づいて前記速度を調整する、請求項３２に記載の装置。  
【請求項４９】
前記制御装置は、使用者インターフェースを有しており、前記所望のサイクル時間は、前記使用者インターフェースに入力され、前記所望のサイクル時間は、前記使用者インターフェースから前記制御装置に伝送される、請求項４８に記載の装置。
【請求項５０】
前記制御装置は、使用者インターフェースを有し、この制御装置は、前記使用者インターフェースから伝送された信号に応じて前記シリンダ容積部に発生された圧力を調整する、請求項３２に記載の装置。
【請求項５１】
前記制御装置は、使用者インターフェースを有し、前記制御装置は、前記使用者インターフェースから前記制御装置に伝送された信号に応じて前記圧力を前記乳房に加えるための所望のサイクル時間を調整する、請求項３２に記載の装置。
【請求項５２】
前記制御装置は、圧力の量および前記圧力のためのサイクル時間に応じて波信号を発生させ、前記モータを前記波信号に応じて制御する、請求項３２に記載の装置。
【請求項５３】
使用者インターフェースを更に具備しており、所望の波信号が前記使用者インターフェースに入力され、前記所望の波信号は、前記使用者インターフェースから前記制御装置に伝送され、前記制御装置は、前記波信号を前記所望の波信号に対応するように調整する、請求項５２に記載の装置。
【請求項５４】
前記シリンダは、圧力除去弁と流体連通している、請求項３２に記載の装置。
【請求項５５】
前記圧力除去弁は、調整可能である、請求項５４に記載の装置。
【請求項５６】
収容室を有するハウジングを更に具備しており、前記モータ、前記ピストンおよび前記シリンダは、前記ハウジングに配置されており、前記可撓性管は、前記収容室に取出し可能に収容されている、請求項３４に記載の装置。
【請求項５７】
前記ハウジングは、第１の端部および第２の端部を持つ空気出口を有しており、前記第１の端部は、前記シリンダ容積部と流体連通しており、前記第２の端部は、前記収容室に配置されている、請求項５６に記載の装置。
【請求項５８】
入口、第１の出口、第２の出口およびプラグを有するｔ−コネクタを更に具備しており、前記入口は、前記第１および第２の出口と流体連通しており、前記プラグは、前記第１の出口または前記第２の出口と選択的に密封係合可能である、請求項３２に記載の装置。
【請求項５９】
前記ｔ−コネクタは、外面を有しており、前記プラグは、前記外面につながれている、請求項５８に記載の装置。
【請求項６０】
乳房から母乳を搾り出すための搾乳ポンプであって、
正の圧力および負の圧力を発生させるための圧力源と、
前記圧力源に作動可能に連結された制御装置とを具備しており、
前記制御装置は、前記正および負の圧力を調整し、前記制御装置は、少なくとも部分的に波信号に基づいて、前記乳房への前記正および負の圧力の付加の間、サイクル時間を調整し、この波信号は、圧力対時間の非正弦波である、搾乳ポンプ。
【請求項６１】
前記制御装置は、使用者インターフェースを有しており、所望のサイクル時間が前記使用者インターフェースに入力され、前記所望のサイクル時間は、前記使用者インターフェースから前記制御装置に伝送され、前記制御装置は、前記サイクル時間を前記所望のサイクル時間に対応するように調整する、請求項６０に記載のポンプ。
【請求項６２】
前記制御装置は、使用者インターフェースを有しており、前記正または負の圧力の所望レベルが前記使用者インターフェースに入力され、前記制御装置は、前記使用者インターフェースから伝送された信号に応じて前記正または負の圧力を調整する、請求項６０に記載のポンプ。
【請求項６３】
前記制御装置により、使用者は複数の波信号から選択可能である、請求項６０に記載のポンプ。
【請求項６４】
使用者インターフェースを更に具備しており、所望の波信号が前記使用者インターフェースに入力され、前記所望の波信号は、前記使用者インターフェースから前記制御装置に伝送され、前記制御装置は、前記波信号を前記所望の波信号に対応するように調整する、請求項６０に記載のポンプ。
【請求項６５】
乳房から母乳を搾り出すための搾乳ポンプであって、
正および負の圧力を発生させるための圧力源と、
前記正および負の圧力を前記乳房に加えるための、前記圧力源と流体連通している搾乳カップと、
前記圧力源に作動可能に連結された制御装置とを具備しており、
前記制御装置は、前記正および負の圧力を調整し、前記乳房への前記正および負の圧力の付加の間、サイクル時間を調整し、前記制御装置は、前記正および負の圧力および前記サイクル時間に応じて波信号を発生させ、この波信号に応じて前記圧力源を制御する、搾乳ポンプ。
【請求項６６】
使用者インターフェースを更に具備しており、所望の波信号が前記使用者インターフェースに入力され、前記所望の波信号は、前記使用者インターフェースから前記制御装置に伝送され、前記制御装置は、前記波信号を前記所望の波信号に対応するように調整する、請求項６５に記載のポンプ。